(57)【要約】      （修正有）【課題】重量のある洗濯機を簡単に持ち上げることができ、かつ組み立てや分解および持ち運びが容易な洗濯機のリフト装置を提供する。【解決手段】洗濯機３０の下の防水パン１０の前面側に設置されるベース１と、このベース１の両端に一端が着脱自在に設けられ、防水パンの両側部の面上に載置される一対のベースガイド２，２と、前記ベース１から着脱自在に立設された支柱４と、この支柱４の上部に着脱自在に取り付けられ防水パンの上方に伸びるアーム５と、このアーム５の上から吊り下げられた洗濯機３０の昇降手段であるチェーンレバーホイスト７と、このチェーンレバーホイスト７に取り付けられた洗濯機保持具６とを備えている。【選択図】図１
0003154530.tif 000002
【実用新案登録請求の範囲】
【請求項１】
洗濯機下の防水パンの前面側に設置されるベースと、
このベースの両端に一端が着脱自在に設けられ、防水パンの両側部の面上に載置される一対のベースガイドと、
前記ベースから着脱自在に立設された支柱と、
この支柱の上部に着脱自在に取り付けられ防水パンの上方に伸びるアームと、
このアームから吊り下げられた洗濯機の昇降手段と、
この昇降手段に取り付けられた洗濯機保持具と
を備えていることを特徴とする、洗濯機のリフト装置。
【請求項２】
前記洗濯機の昇降手段がチェーンレバーホイストである請求項１記載の洗濯機のリフト装置。
【請求項３】
前記洗濯機保持具が、前記チェーンレバーホイストのチェーン下端部に取り付けられた天秤棒と、この天秤棒の両端からそれぞれ吊り下げられ下端に洗濯機両側部の把手穴に係止させるためのフックを有する吊り上げ用保持ベルトとを備えている、請求項１または２のいずれかに記載の洗濯機のリフト装置。
【請求項４】
前記フックが洗濯機の側面に止着する磁石を有する、請求項３に記載の洗濯機のリフト装置。
【考案の詳細な説明】
【技術分野】
【０００１】
本考案は、特別な工具を使用することなく、組み立て、分解および持ち運びを簡単に行うことができ、防水パンと洗濯機の間に洗濯機かさ上げ台を入れるための洗濯機のリフト装置に関する。
【背景技術】
【０００２】
近年、乾燥機の機能を備えたドラム式洗濯機は、一般家庭において急速に普及している。マンション等の集合住宅における洗濯機の設置場所については、台所、洗面所、浴室付近等に洗濯機設置スペースがあらかじめ用意されており、使用する際には、洗濯機設置スペースの床面上に設置してある防水パンの上に洗濯機を設置して使用してきた。
【０００３】
また、マンション等の集合住宅にあっては、水詰まりや水漏れを防止するため、定期的に住戸毎に設置されている配水管の高圧洗浄作業が行われており、その際に洗濯機を載せている防水パンに設けられた排水口から洗浄ホースを入れて配水管の高圧洗浄作業を行わなければならない。
【０００４】
しかしながら、排水口に洗浄ホースを入れるためには、防水パンと洗濯機の間に洗浄ホースを入れる隙間が必要であり、そのため隙間と洗濯機の間に洗濯機かさ上げ台を入れるために洗濯機を一旦持ち上げる必要があった。しかし、平均重量が約８０〜１３０ｋｇあるドラム式洗濯機の場合、マンション等の集合住宅で一旦設置してしまうと、その重量と、洗濯機設置スペースの狭さから、複数の人間で持ち上げるのは困難であり、そのため、洗濯機を持ち上げるリフト装置が特許文献１、２に提案されている。
【０００５】
特許文献１および２に開示のリフト装置は、台車上にガイドフレームを起立し、フォークやホールドユニットを油圧アクチュエーターで昇降自在に片持ち状態で支持させたものである。リフト装置をマンション等の狭い空間において洗濯機設置場所まで移動するのは困難な場合が多く、またリフト装置が移動の際に室内の壁やフローリング等に傷をつけてしまう恐れがある、という問題があった。
【先行技術文献】
【特許文献】
【０００６】
【特許文献１】実用新案登録第３１４０８９５号公報
【特許文献２】実用新案登録第３１４０６５７号公報
【考案の概要】
【考案が解決しようとする課題】
【０００７】
本考案は、ドラム式洗濯機のような重量のある洗濯機を簡単に持ち上げることができ、かつ組み立てや分解および持ち運びが容易な洗濯機のリフト装置を提供することを課題とする。
【課題を解決するための手段】
【０００８】
上記課題を解決するための本考案の洗濯機のリフト装置は、以下の構成を有する。
（１）洗濯機下の防水パンの前面側に設置されるベースと、このベースの両端に一端が着脱自在に設けられ防水パンの両側部の面上に載置される一対のベースガイドと、前記ベースから着脱自在に立設された支柱と、この支柱の上部に着脱自在に取り付けられ防水パンの上方に伸びるアームと、このアームから吊り下げられた洗濯機の昇降手段と、この昇降手段に取り付けられた洗濯機保持具とを備えていることを特徴とする、洗濯機のリフト装置。
（２）前記洗濯機の昇降手段がチェーンレバーホイストである（１）記載の洗濯機のリフト装置。
（３）前記洗濯機保持具が、前記チェーンレバーホイストのチェーン下端部に取り付けられた天秤棒と、この天秤棒の両端からそれぞれ吊り下げられ下端に洗濯機両側部の把手穴に係止させるためのフックを有する吊り上げ用保持ベルトとを備えていることを特徴とする、（１）または（２）のいずれかに記載の洗濯機のリフト装置。
（４）前記フックが洗濯機の側面に止着する磁石を有することを特徴とする（１）から（３）のいずれかに記載の洗濯機のリフト装置。
【考案の効果】
【０００９】
本考案に係る洗濯機のリフト装置は、重量のある洗濯機を、場所をとらずに簡単に持ち上げることができると共に、特別な工具を使わずに、組み立て、分解が簡単に行うことができるので、洗濯機設置場所までの通路が狭い場合でも、簡単に設置場所まで持ち込むことができるという効果がある。
【図面の簡単な説明】
【００１０】
【図１】本考案の一実施形態に係るリフト装置の斜視図である。
【図２】図１のリフト装置を示す正面図である。
【図３】（ａ）、（ｂ）は本考案おける洗濯機のリフト装置のベースへのベースガイドの取り付け構造を示す平面図および断面図である。
【図４ａ】リフト装置の組み立て手順１を示す説明図である。
【図４ｂ】リフト装置の組み立て手順２を示す説明図である。
【図４ｃ】リフト装置の組み立て手順３を示す説明図である。
【図４ｄ】リフト装置の組み立て手順４を示す説明図である。
【考案を実施するための形態】
【００１１】
以下、図面を用いて、本考案の一実施形態に係るリフト装置を説明する。図１および図２は本考案のリフト装置の一実施形態を示す斜視図および正面図である。
【００１２】
図１、図２に示すように、この実施形態に係るリフト装置は、洗濯機３０を設置した防水パン１０の前面側にベース１が設置され、このベース１の両端に、板材で構成される一対のベースガイド２，２の一端が着脱自在に設けられている。これらのベースガイド２，２は、防水パン１０の両側部の表面上に載置される。前記ベース１０の中央部には、支柱差し込み用筒部３１が取り付けられており、この筒部３１に支柱４が挿し込まれてベース１０から着脱自在に立設されている。この支柱の上部には、防水パンの上方に向かって伸びるアーム５が着脱自在に取り付けられている。このアーム５からチェーンレバーホイスト７（昇降手段）が吊り下げられ、この昇降手段に洗濯機保持具６が取り付けられている。
【００１３】
保持具６は、棒材からなる天秤棒６１と、この天秤棒６１の両端部に取り付けられた長さ調節可能なベルト６３，６３と、これら両ベルト６３，６３の下部に設けられたフック６４，６４とを備える。また、各フック６４の内側（洗濯機３０側）には洗濯機３０の側面に止着する磁石６５がそれぞれ取り付けられており、フック６４を洗濯機３０の取っ手穴（図示せず）に係止させた後、洗濯機３０を持ち上げる前にフック６４が洗濯機３０の取っ手穴（図示せず）から離脱するのを阻止している。ベルト６３，６３は、布や皮革等から構成される。
【００１４】
以下、各部材の取り付け方法を順に説明する。
【００１５】
＜ベースガイド２，２のベース１への取り付け＞
図３（ａ）、（ｂ）に示すように、角筒体であるベース１の両端部表面には、ベース１の長手方向に沿って伸びる２つの平行な長孔３２，３２が形成されている。ベースガイド２，２は一端にＬ字形の水平取付け板２１が固定されており、この水平取付け板２１には３つのねじ貫通孔３４が穿設されている。
【００１６】
ベース１の内部には、４つのねじ棒２３を立設した板材３３が挿入されており、４つのねじ棒２３ａ, ２３ｂ,２３ｃ,２３ｄはそれぞれ２つずつが、前記した２つの長孔３２，３２から上方に突出している。そのうち、３つのねじ棒２３ａ, ２３ｂ,２３ｃは前記水平取付け板２１に設けたねじ貫通孔３４を挿通して上方に突出し、残り１つのねじ棒２３ｄは水平取付け板２１のない部位から上方に突出している。
【００１７】
そして、これらのねじ棒２３ａ, ２３ｂ,２３ｃ,２３ｄにそれぞれ蝶ナット２０を螺合させる。ここで、水平取付け板２１のねじ貫通孔３４を挿通していないねじ棒２３ｄは、ベースガイド２，２を位置決めするために長孔３２，３２に沿ってベースガイド２，２をスライドさせる際に、ねじ棒２３ａ, ２３ｂ,２３ｃがねじ貫通孔３４から脱落しないように、板材３３をベース１の上面側に位置させるために設けられている。
【００１８】
ベースガイド２，２をベース１から取り外す場合には、ねじ棒２３ａ, ２３ｂ,２３ｃから蝶ナット２０を取り外すだけでよく、ねじ棒２３ｄには蝶ナット２０を螺合させたままにしてある。
【００１９】
＜支柱４のベース１への取り付け＞
図４ｂに示すように、ベース１０の中央部には、支柱差し込み用筒部３１が取り付けられており、この筒部３１に支柱４の下端部を挿し込んで立設させる。取り外す場合は、支柱４を筒部３１を引き抜けばよい。
【００２０】
＜アーム５の支柱４への取り付け＞
図４ｂに示すように、アーム５の基部にはアーム保持部５１が一体に取り付けられている。このアーム保持部５１は下部が開口した筒状の部材であり、これを支柱４の上端部に嵌着させてアーム５を取り付ける。
【００２１】
その際、アーム保持部５１が支柱４から不用意に外れるのを防止するために、ピン５３でアーム保持部５１と支柱４とはピン接合される。すなわち、ピン５３を挿通させるために、アーム保持部５１の側面にはピン穴５２が設けられ、支柱４の上端部側面には複数のピン穴４２が縦方向に設けられている。そして、いずれかのピン穴４２にアーム保持部５１のピン穴５２を一致させて、ピン５３を挿通させる。
ピン穴４２を縦方向に複数設けることにより、アーム５の取り付け高さを自在に調整することができる。
【００２２】
アーム５を支柱４から取り外す場合は、前記と逆にピン５３を引き抜き、アーム保持部５１を支柱４から取り外せばよい。
なお、支柱４の前面には、アーム保持部５１の落下防止ツメ４１が設けられている。
【００２３】
＜チェーンレバーホイスト７のアーム５への取り付け＞
チェーンレバーホイスト７は、チェーンレバーホイスト７のハンドル７２を操作することにより、チェーン７３を巻き上げ・巻き下げするものである。チェーンレバーホイスト７としては、例えば象印チェンブロック（株）から市販されているものが使用可能である。
【００２４】
図４ｃに示すように、アーム５の先端下面には、上記チェーンレバーホイスト７を保持するための複数のリング状保持部５５が設けられている。すなわち、複数の保持部５５は、アーム５の長手方向に並設されているので、洗濯機３０の取っ手穴の位置に応じて洗濯機保持具６の位置調整が可能になる。
チェーンレバーホイスト７は、いずれかの保持部５５にフック７１を使用して取り付けられる。
【００２５】
＜洗濯機保持具６のチェーンレバーホイスト７への取り付け＞
図４ｄに示すように、チェーンレバーホイスト７のチェーン７３の一端に取り付けられたフック７１´を、天秤棒６１の中央部に設けたフック孔６２に係止させて取り付ける。
【００２６】
次に、本実施形態に係るリフト装置の使用方法について説明する。
【００２７】
リフト装置を組み立てる際には、まず図４aに示すように、ベース１を、洗濯機３０を設置した防水パン１０の前面に該前面と接するように設置した後、ベースガイド２，２をそれぞれ防止パン１０の両側部の表面上に載置されるように、ベース１の長穴３２に沿ってベースガイド２，２をスライドさせて位置決めを行い（図３（ａ）、（ｂ）を参照）、最後に蝶ナット２０をねじ棒２３ａ, ２３ｂ,２３ｃに螺合させて、ベースガイド２，２の取り付けを完了する。
【００２８】
次に、図４ｂに示すように、支柱４の上端部にアーム保持部５１を差し込み、アーム保持部５１に繋がれたワイヤー等の紐材５４に付いているピン５３で、洗濯機を持ち上げるストロークに合わせ、支柱４のピン穴４２とアーム保持部５１のピン穴５２が一致した位置にてアーム保持部５１を支柱４にピン接合する。
【００２９】
次に、図４ｃに示すように、アーム５に設けられたリング状の保持部５５にチェーンレバーホイスト７のフック７１を取り付ける。この際、洗濯機３０の大きさによって、フック７１をリング状の保持部５５のいずれかの部位に付け替えて調整する。
【００３０】
次に、図４ｄに示すように、天秤棒６１の中央部に設けたフック穴６２に前記したチェーンレバーホイスト７の下部の下フック７１´を係止させ、天秤棒６１の両端のベルト６３の先端に取り付けたフック６４を洗濯機３０両側部の取っ手穴に引っ掛ける。
【００３１】
この状態（すなわち図１に示す状態）で、チェーンレバーホイスト７のハンドル７２を操作することにより、チェーンレバーホイスト７のチェーン７３を巻き上げ、下フック７１´により保持した保持具６により洗濯機３０を上方に持ち上げることが可能になる。
また、洗濯機３０を持ち上げる時、ベースガイド２，２がそれぞれ防止パン１０の両側部の表面上に載置されていることにより、本考案のリフト装置は転倒することがない。
【００３２】
洗濯機３０を持ち上げた後、図示しない洗濯機かさ上げ台を、防水パン１０と洗濯機３０との隙間から挿入し、洗濯機３０のかさ上げを行う。その後、洗浄ホース等を使い、防水パン１０の排水口１１内の洗浄を行えばよい。
洗濯機３０のかさ上げが終了後、前記した組立手順と逆の手順にて、リフト装置を分解すればよい。
【００３３】
以上の説明から明らかなように、本考案のリフト装置は、洗濯機設置場所まで全てのパーツを分解して箱や袋等に収納して持ち込むことができ、当該設置場所で簡単に組み立てることができる。従って、洗濯機設置場所のスペースに制約されることがない。また、本考案のリフト装置は、使用後も、洗濯機設置場所で分解し、再度収納して持ち出すことが可能である。
【符号の説明】
【００３４】
１    ベース
２    ベースガイド
４    支柱
５    アーム
６    保持具
７    チェーンレバーホイスト
１０  防水パン
１１  排水口
２０  蝶ナット
２２  ネジ穴
【図１】
0003154530.tif 000003
【図２】
0003154530.tif 000004
【図３】
0003154530.tif 000005
【図４ａ】
0003154530.tif 000006
【図４ｂ】
0003154530.tif 000007
【図４ｃ】
0003154530.tif 000008
【図４ｄ】
0003154530.tif 000009